【手続補正書】
【提出日】平成17年7月27日(2005.7.27)
【手続補正１】
【補正対象書類名】明細書
【補正対象項目名】全文
【補正方法】変更
【補正の内容】
【書類名】        明細書
【発明の名称】    錠システムおよびその錠
【特許請求の範囲】
【請求項１】  ユーザーと接続し合って、このユーザーにユニークな符号を付与して通知するユーザー管理装置と、
このユニークな符号を鍵として、ユーザーがこの鍵を使用して錠の操作を行ない得るように設定変更が可能な錠と無線で接続し合って、この鍵を通知する錠管理装置と、
から構成されることを特徴とする錠システム。
【請求項２】  ユーザーと接続し合って、このユーザーにユニークな符号を付与して通知するユーザー管理装置と、
このユニークな符号を鍵として、ユーザーからの錠の動作要求とこの鍵とを受けた時に、無線で錠と接続し合って錠に動作を行わせる錠管理装置と、
から構成されることを特徴とする錠システム。
【請求項３】  前記ユニークな符号がワンタイムパスワードである、請求項１または請求項２に記載の錠システム。
【請求項４】  ユーザーと接続し合って、このユーザーからの錠の動作要求を受けてユーザー認証を行なうユーザー管理装置と、
身元が確認された場合に無線で錠と接続し合って錠に動作を行わせる錠管理装置と、
から構成されることを特徴とする錠システム。
【請求項５】  前記ユーザー管理装置は、ユーザーまたは錠側と接続し合って、レンタルの開始と終了と、またはレンタルの一時停止と再開と、を行なうものである、請求項１または請求項２または請求項４に記載の錠システム。
【請求項６】  前記ユーザー管理装置は、ユーザーと接続し合って、課金の開始と終了と、または課金の一時停止と再開と、を行なうものである、請求項１または請求項２または請求項４に記載の錠システム。
【請求項７】  前記錠管理装置は、無線で錠側と接続し合って錠側からその位置情報を取得するものである、請求項１または請求項２または請求項４に記載の錠システム。
【請求項８】  前記ユーザー管理装置は、ユーザーおよび錠側と接続し合って、ユーザーと錠との対応関係を変更するものである、請求項１または請求項２または請求項４に記載の錠システム。
【請求項９】  無線でセンターと接続し合ってユーザーのユニークな符号を鍵として受信するための通信装置と、
複数のスイッチと、
ユーザーがこのスイッチを適正な組み合わせで操作することにより開錠し、且つ前記符号から開錠し得るスイッチの組み合わせを設定する開錠装置と、
から構成されることを特徴とする錠。
【請求項１０】  無線でセンターと接続し合ってユーザーのユニークな符号を鍵として受信するための通信装置と、
ユーザーと接続し合ってユーザーからの錠の動作要求とこの鍵とを受けた時に、ユーザー認証を行なうユーザー管理装置と、
身元が確認された場合に錠に動作を行わせる錠装置と、
から構成されることを特徴とする錠。
【請求項１１】  前記錠装置が、少なくとも開錠に関して電気的に動作する錠を備えている、請求項１０に記載の錠。
【請求項１２】  前記通信装置を用いて鍵である符号の確認を行なう、請求項９または請求項１０に記載の錠。
【請求項１３】  無線でセンターと接続し合うための通信装置と、
センターからの錠動作要求に応える錠装置と、
から構成されることを特徴とする錠。
【請求項１４】  前記通信装置の異常を感知する異常感知装置を備え、異常を感知した場合は鍵である符号を使用不能とする、請求項９または請求項１０に記載の錠。
【請求項１５】  錠の異常を感知するセンサを備え、異常を感知した場合は前記通信装置を用いてセンターに報知する、請求項９または請求項１０または請求項１３に記載の錠。
【請求項１６】  地図を表示する地図表示装置を備えると共に、地図上に自己の位置を表示するための位置情報の受信装置を備えた、請求項９または請求項１０または請求項１３に記載の錠。
【請求項１７】  前記ユーザー管理装置は、ユーザー所有のカードの記憶部にユニークな符号を通知するものである、請求項１または請求項２または請求項４に記載の錠システム。
【請求項１８】  前記ユーザー管理装置は、ユーザー管理装置の子機を介してユーザーと接続し合うものである、請求項１または請求項２または請求項４に記載の錠システム。
【請求項１９】  前記ユーザー管理装置は、錠に設けたカードとの通信部を介してユーザーと接続し合うものである、請求項１または請求項２または請求項４に記載の錠システム。
【請求項２０】  カードとの通信部を備えており、カードから鍵を読み取るものである、請求項１０に記載の錠。
【請求項２１】  カードとの通信部を備えており、この通信部を介しカードから読み取った鍵を前記通信装置を用いてセンターに通知し、センターからの錠動作要求に応えるものである、請求項１３に記載の錠。
【請求項２２】  無線でセンターと接続し合うための通信装置と、
ユーザーと接続し合うためのカードとの通信部と、
ユーザーが、鍵となるユニークな符号をセンターから受信する際に、センターと前記カードとの間のやり取りの仲介を前記通信装置を用いて行なうことを特徴とする錠。
【発明の詳細な説明】
【０００１】
【発明の属する技術分野】
この発明は、無線でユーザー（ユーザー側装置である）と接続し合って、錠の少なくとも開錠を可能にする、錠システムおよびその錠に関するものである。
【０００２】
【従来の技術及び発明が解決しようとする課題】
従来の錠、例えば玄関ドアに於けるシリンダー錠ではこれに合致する鍵を用いて施錠または開錠を行ない、また自動車の赤外線式の錠では赤外線によって送信されてきた信号を受信して電気錠が施錠または開錠を行なっている。しかしながら何れの場合も鍵や赤外線リモコンが他者の手に渡ると錠が簡単に破られてしまうという危険があった。
【０００３】
一方、二輪車に取り付けられたダイアル錠では錠に設けた複数の数字リングを操作して正しい数字の組み合わせにして開錠を行ない、またナンバー錠では数字キーが正しい順序で押されることにより開錠を行なっている。しかしながらこのような二輪車をレンタルサービスに用いようとすると、二輪車とこれを開錠可能な数字とが一対一で対応しているために盗難の危険があった。そこで上記のような鍵や赤外線リモコンをユーザーに貸与することが考えられるが、ここでも上述したような紛失の問題がある。また貸与には、盗難や悪戯を避けるための係員を必要とし、人件費が掛かるため、無人のレンタルサービスを行うことが出来ないという問題もある。従って、例えば自転車のレンタルサービスを受けたユーザーがスーパーに立ち寄りたいとする場合があったとしても、鍵を貸与されない状態では自転車を離れることなど到底不可能なのである。
【０００４】
また自動車や二輪車のレンタルということを考えた場合、これまでは必ず駐車場で貸し出し、駐車場へ返却してもらうという手続きを取っている。特に二輪車では駐車場内に設置されている駐輪装置を使用している。一方環境問題が叫ばれている折から、市街地での交通には自転車を利用することが好ましい。このため当発明者の発明に係る特開２００１−１８８９９９の「パーキングシステム及びパーキング方法」では、市街地に散在させた複数の駐車場を利用して一時返却や乗り継ぎを自由にするがシステムを提案した。しかしながらこのシステムに於いても自転車のレンタルは必ず駐車場を介さなくてはならなかった。更に返却しようとする駐車場の駐輪台が満車状態では、駐輪台が空くのを待つか、空いているかも分からない他の駐車場へ回ることを要求された。
【０００５】
この発明は、上述したような問題点を解決して、鍵や赤外線リモコンのような錠と一対一対応するようなものをユーザーに持たせることなく、従って貸与には実質的に係員を必要とせず、しかもドアのような固定物ではなく例えば自転車のような移動物のレンタルサービスに於いては、駐車場、または駐輪台を介さずにレンタルすることが出来るようにすることを課題とするものである。
【０００６】
【課題を解決するための手段及び作用】
上記課題は、ユーザーと接続し合って、このユーザーにユニークな符号を付与して通知するユーザー管理装置と、このユニークな符号を鍵として、ユーザーがこの鍵を使用して錠の操作を行ない得るように設定変更が可能な錠と無線で接続し合って、この鍵を通知する錠管理装置と、から構成されることを特徴とする錠システムとすることにより達成される。ユーザーとの接続は、無線や有線或いは磁気や赤外線を介することが出来る。無線の例として携帯電話システムを上げることができ、広く普及しているため都合がよい。
【０００７】
すなわちこの錠システムでは、ユーザーにユニークな符号（ユーザーと一対一対応するパスワードなど）を与え、同時にこの符号を錠に通知しておく。錠側ではこの符号で開錠出来るように設定を変更する。ユーザーがこの錠に対してこの符号を使用すると、錠側ではユーザーが用いた符号と事前に通知された符号とが一致するか否かを判定して、一致する場合には開錠するようにする。従ってこの符号は鍵である。施錠はユーザーが直接錠に触れて操作出来る仕組みを採用すればよい。開錠には上述したナンバー錠などの仕組みを利用すればよい。
【０００８】
ユーザーに付与するユニークな符号としては、予め用意してあるパスワード表の中から順に割り当てたり、ランダムに発生させた数桁の数字を用いたり、ユーザーの携帯電話番号をそのまま符号として付与したりすればよい。しかしながらユーザー固定の符号や錠固定の符号は見破られる危険があるため、慎重を期すのであればいわゆるワンタイムパスワードを使用することが望ましい。なお、ユーザーがグループであって同一または各々異なる符号を通知する場合がある。
【０００９】
また上記課題は、ユーザーと接続し合って、このユーザーにユニークな符号を付与して通知するユーザー管理装置と、このユニークな符号を鍵としてこの鍵とユーザーからの錠の動作要求とを受けた時に、無線で錠と接続し合って錠に動作を行わせる錠管理装置と、から構成されることを特徴とする錠システムとすることにより達成される。
【００１０】
すなわちこの錠システムでは、ユーザーにユニークな符号を与えておき、ユーザーが開錠したい場合にはその意思と符号（パスワードなど）とを錠システムに伝えると、錠システムは本人確認を行ない、確認された場合には直接錠側に働きかけて開錠する。なお錠の動作要求としては、開錠の他に施錠や符号の変更なども考えられる。
【００１１】
また上記課題は、ユーザーと接続し合い、ユーザーからの錠の動作要求を受けてユーザー認証を行なうユーザー管理装置と、身元が確認された場合に無線で錠と接続し合って錠に動作を行わせる錠管理装置と、から構成されることを特徴とする錠システムとすることにより達成される。
【００１２】
すなわちこの錠システムでは、事前にユーザーにユニークな符号を与えることを行なわず、ユーザー登録に基づくユーザー認証にパスした場合に、錠システムが直接錠側に働きかけて開錠などの所要の動作を行なわせるものである。
【００１３】
次に上記３種のシステムに於いて、前記ユーザー管理装置は、ユーザーまたは錠側と接続し合って、レンタルの開始と終了と、またはレンタルの一時停止と再開と、を行なうものとすることが出来る。
【００１４】
ユーザーと接続し合ってユーザーのレンタル開始または終了の意思を確認し、ユーザー管理装置にその旨を記録する。または錠側と接続し合い、レンタル開始の際には開錠し、レンタル終了の場合には施錠を行なう。なお施錠はユーザーの手作業に任せてしまうことが出来るが、この場合には錠側にセンサーなどを取り付けて施錠されているか否かを確認出来るようにすればよい。なお上記で例えば一時停止とは施錠することであり、再開とは開錠することである。
【００１５】
また上記３種のシステムに於いて、前記ユーザー管理装置は、ユーザーと接続し合って、課金の開始と終了と、または課金の一時停止と再開と、を行なうものとすることが出来る。
【００１６】
一般的には開錠して課金を開始し、施錠して課金を終了するものとする。また一時停止と再開の都度きめ細かく課金管理を行なうようにすれば、ユーザーには乗り継ぎも放置返却も安心して行なえるように成り、この観点からも「どこでも駐車場」という新しい概念を実現して見せることが出来る。なお、「どこでも駐車場」によれば、従来の駐車場、駐輪台は言うに及ばず、簡易的にロープや柵で囲ったような場所や、路上にラインを引いた場所などを駐車場とするこが可能であり、更には広場や路上など文字通りどこでも駐車場にすることが出来るのである。
【００１７】
また上記３種のシステムに於いて、前記錠管理装置は無線で錠側と接続し合って錠側からその位置情報を取得するものとすることが出来る。
【００１８】
このようにすると、錠側がドアのような固定物ではなく例えば自転車のような移動物の場合に、その現在位置を知ることが出来る。従ってユーザーの現在位置を確認したり、乗り継ぎや放置返却の場合にそれがどこにあるのかを知ることが容易に行なえるように成り、必要な場合には係員を回収に向かわせることが迅速に出来る。
【００１９】
また上記３種のシステムに於いて、前記ユーザー管理装置は、ユーザー及び錠側と接続し合って、ユーザーと錠との対応関係を変更するものとすることが出来る。
【００２０】
このようにすると、完全返却の後は引き続いて次のユーザーにレンタルすることが出来て効率的である。またグループでレンタルサービスを受けて、グループ内のある者から他の者へ引き継いだりすることも可能と成る。なお上述した位置情報を活用するようにすれば、錠とユーザーとの対応関係を変更して、他のユーザーをそこまで誘導するということが容易になる。
【００２１】
さて、上記課題は、無線でセンターと接続し合ってユーザーのユニークな符号を鍵として受信するための通信装置と、複数のスイッチと、ユーザーがこのスイッチを適正な組み合わせで操作することにより開錠し、且つ前記符号から開錠し得るスイッチの組み合わせを設定する開錠装置と、から構成された錠を提供することによって達成される。
【００２２】
これは錠側からの課題解決手段ということに成るが、開錠装置によりセンターから受けた符号で開錠し得るスイッチの組み合わせを設定すれば、その符号は鍵としてユーザーに渡されているため、ユーザーがその符号通りにスイッチを操作することによって、開錠することが出来るのである。ユーザーが直接スイッチを操作するのであるから、ダイアル錠やナンバー錠が良く知られているだけあって好適である。
【００２３】
また上記課題は、無線でセンターと接続し合ってユーザーのユニークな符号を鍵として受信するための通信装置と、無線でユーザーと接続し合って、ユーザーからの錠の動作要求とこの鍵とを受けた時にユーザー認証を行なうユーザー管理装置と、身元が確認された場合に錠に動作を行わせる錠装置と、から構成した錠とすることによって達成される。
【００２４】
錠側で最初にセンターから符号を鍵として受信しておけば、後はユーザーと錠とは無線で直接接続し合って、適正なユーザーであれば開錠を許す。なお少なくても開錠動作は必須であるが、施錠に関しても無線で行なえるようにすることが出来る。なおユーザーと接続し合う無線には、広く普及している携帯電話を使用することが可能であるが、この他にブルートゥース（商標）などの規格や赤外線通信なども任意に利用することが出来る。
【００２５】
この請求項１０の錠に関して、前記錠装置が少なくとも開錠に関して電気的に動作する錠を備えているものとすることが出来る。
【００２６】
この場合ソレノイドなどを利用して一気に開錠してしまうものと、最後の操作だけはユーザーにスイッチを押させるものとの２タイプが考えられるが、何れにせよ電気的に動作して実質的に開錠してしまうことが可能であるため、ユーザーと錠とは無線で接続し合って、ユーザーに開錠操作を行なわせることが出来る。なお開錠のみならず施錠に関しても行ない得るように設計してもよい。
【００２７】
次に請求項９または請求項１０に記載の錠に関して、前記通信装置を用いて鍵である符号の確認を行なうものとすることが出来る。
【００２８】
これは前記符号に変更があったか（ユーザーの変更があったが）、符号が取り消されていないか（使用が禁止されていないか）、などについての確認を行なうためのものである。この確認のトリガーとしては、ユーザーが誤った符号を使用したような場合や、タイマーによる定時確認を上げることが出来る。
【００２９】
また上記課題は、無線でセンターと接続し合うための通信装置と、センターからの錠動作要求に応える錠装置と、から構成されることを特徴とする錠とすることによって達成される。
【００３０】
この場合はセンターとユーザーとの間でユーザー認証が行なわれるため、錠側ではセンターからの錠動作要求に単純に従がえばよいのである。
【００３１】
次に請求項９または請求項１０に記載の錠に関して、前記通信装置の異常を感知する異常感知装置を備え、異常を感知した場合は鍵である符号を使用不能としてもよい。
【００３２】
異常感知装置が通信装置の異常を感知した場合には、センター側からも錠側からも接続し合うことが出来なくなるため、符号確認も行なえなくなり、このままでは問題を生ずるかも知れない。そこでこれまでの符号を使用不能にしてしまうのである。これは例えば通信装置が何者かによって破壊されたような場合を想定している。
【００３３】
同様に請求項９または請求項１０に記載の錠に関して、錠の異常を感知するセンサを備え、異常を感知した場合は前記通信装置を用いてセンターに報知するものとすることが出来る。
【００３４】
錠に取り付けたセンサが錠の異常を感知した場合には、ユーザーに迷惑を掛けたり、レンタルサービスとしても危機的な状況と成るから、逸早く通信装置によりセンターに報知するのである。これにより例えば係員が対応出来る。
【００３５】
さらに請求項９または請求項１０または請求項１３に記載の錠に関して、無線電話機を備えたものとすることが出来る。これによれば、例えば錠側に何かトラブルが起きたような場合に、係員と直接会話することが出来るように成る。ユーザー側に連絡手段がない場合にも有効である。また上述した位置情報を知らせるためにも無線電話機、例えば携帯電話やＰＨＳは利用可能である。
【００３６】
次に請求項９または請求項１０または請求項１３に記載の錠に関して、地図を表示する地図表示装置を備えると共に、地図上に自己の位置を表示するための位置情報の受信装置を備えたものとすることが出来る。
【００３７】
地図表示装置は、地図をセンターからダウンロードして画面に表示するものであっても、ＣＤ−ＲＯＭなどの記録媒体を備えてこれを表示するものであってもよい。位置情報の受信装置によれば、例えば旅行者が観光地で自転車をレンタルした場合などに、自分が今どこにいるかを知ることが出来る。なお上述のようにＰＨＳ等の無線電話機を備えて位置情報の受信装置とすることも可能である。
【００３８】
さて、請求項１または請求項２または請求項４に記載の錠システムに関して、前記ユーザー管理装置がユーザー所有のカードの記憶部にユニークな符号を通知するものとすることができる。ここでカードとしたのは、磁気テープを備えているキャッシュカード、記憶素子を備えたＩＣカード、再書き込み可能な印刷部を備えたポイントカードなど、カード形式のものが広く使われているからである。しかしながらこれは総称としてのカードのことであり、記憶素子を備えたメモリスティックや指輪やＵＳＢコネクタ等もこの類いである。なお上記磁気テープには磁気ヘッドが接触してユニークな符号を書き込んだり読み込んだりする。記憶素子に情報を書き込むタイプのものでは、内部に誘導コイルを備えて非接触での読み込み書き込みが可能なものがある。再書き込み可能な印刷部のあるものではユーザーはここに印刷されたユニークな符号を見て錠を操作する。なお印刷部を再書き込み不能なものとすれば、ワンタイムパスワード用に使用することが可能である。
【００３９】
即ちこの錠システムでは、カードにユニークな符号（ユーザーと一対一対応するパスワードなど）を与え、ユーザーが錠に対してこのカードを使用するようにしたものである。
【００４０】
次に、請求項１または請求項２または請求項４に記載の錠システムに関して、前記ユーザー管理装置がユーザー管理装置の子機を介してユーザーと接続し合うものとすることができる。子機とは、前記ユーザー管理装置の出先装置であり、例えば駐車場を利用する場合には、各々の駐車場に設置して中央のユーザー管理装置の仕事を分担し、例えば再書き込み可能な印刷部を備えたカードを発行したり、ユーザー所有のＩＣカードにユニークな符号を書き込んだりする役目を担うものである。
【００４１】
次に、請求項１または請求項２または請求項４に記載の錠システムに関して、前記ユーザー管理装置は、錠に設けた「カードとの通信部」を介してユーザーと接続し合うものとすることができる。
【００４２】
錠に設けたカードとの通信部は、ユーザー所有のカードとユーザー管理装置との通信を仲介する。例えば上記非接触タイプのＩＣカードであれば、これを二輪車側の通信部にかざして、ユーザー管理装置とユニークな符号のやり取りなどを行なうことができる。ＩＣカードにしてみれば、錠側の通信部を借りて通信することが可能であるから、例えば携帯電話のように自前の通信部を持っていなくてもよいわけである。従って錠には使用するカードに対応した通信部を用いるようにすればよい。このようにして前記ユーザー管理装置はユーザーと接続し合うことができる。
【００４３】
次に請求項１０に記載の錠に関して、カードとの通信部を備えており、カードから鍵を読み取るものとすることができる。磁気ヘッド、コネクタ、非接触のためのコイルなど、カードに対応する通信部を設けておく。２種以上の方式を混在させたものを設計することが可能である。
【００４４】
次に、請求項１３に記載の錠に関して、カードとの通信部を備えており、この通信部を介してカードから読み取った鍵を前記通信装置を用いてセンターに通知し、センターからの錠動作要求に応えるものとすることができる。
【００４５】
前記通信装置は次の２つの動作を行なう。まずカードと通信して鍵を読み込みこれをセンターに通知する。カードと通信する目的は、ユーザーによる錠の動作要求に基づいている。従って通信装置は、ユーザーと接続し合い、ユーザーからの錠の動作要求とこの鍵とを受けて、これをセンターに通知するのである。次にセンターからの錠動作要求に応えることに成る。
【００４６】
また上記の課題は、無線でセンターと接続し合うための通信装置と、ユーザーと接続し合うためのカードとの通信部と、ユーザーが鍵となるユニークな符号をセンターから受信する際にセンターと前記カードとの間のやり取りの仲介を前記通信装置を用いて行なうことを特徴とする錠とすることによって達成される。
【００４７】
これは錠側からの課題解決手段ということに成るが、センターとは通信装置を利用して接続し合い、またユーザー所有のカードとは通信部を介して接続し合うことになる。センターからのユニークな符号は錠を通してカードに付与される。従ってカード側には通信装置が不要となる。この用途としては、例えば通勤通学定期券をＩＣカードとして、このＩＣカードの記憶素子にユニークな符号の書き込みを行なって、自転車をレンタル可能にするというようなものを上げることができる。
【００４８】
なお請求項２０または請求項２１または請求項２２に記載の錠に関して、前記カードとの通信部に磁気ヘッドを備えるものとすることができる。または、前記カードとの通信部にコネクタまたはコイルを備えるものとすることができる。または前記カードとの通信部に光通信部を備えるものとすることができる。または前記カードとの通信部に無線通信部を備えるものとすることができる。前記光通信部については赤外線通信を行なうためのものが一般的である。また無線通信部については、ブルートゥース（商標）などの規格やなども任意に利用することが出来る。
【００４９】
【発明の実施の形態】
以下この発明の実施形態を図面を参照しながら説明するが、この発明はこれ等の実施形態に限定されるものではない。
【００５０】
（第１実施形態）
図１乃至図４はこの発明の第１の実施形態を表わす。センターサーバ１とユーザーが所持する携帯電話７との間、及びセンターサーバ１とユーザーに貸し出されたレンタル自転車２との間は携帯電話網の無線でやり取りされる。従ってレンタル自転車２には図示しない携帯電話が搭載されており、図４の符号３３はそのアンテナである。携帯電話７の所有者はセンターサーバ１に対してユーザー登録が為されている。そこで自転車のレンタルを受けるべく携帯電話７を用いてセンターサーバ１に接続すると、乱数発生部１０がこのユーザーにユニークな（一対一対応する）番号を発生するので、この番号をユーザー管理部１１に登録する。すなわちこのユーザーに付与する。ユーザー管理部１１は送受信部１３を介してこの数字をユーザーに通知する。この番号は後述のレンタル自転車２の錠２０を開錠するのに必要なものであるため、ユーザーは暗記するかメモするか携帯電話７に記録しておく。一方センターサーバ１はこの番号を、錠管理部１２によって図示しない携帯電話を通じてレンタル自転車２の錠２０に通知する。なお１４はアンテナである。
【００５１】
この錠２０は、レンタル自転車２のサドルポスト２２の後方に取り付けられておりテンキーボタン２１を備えている。なおこのレンタル自転車はいわゆる電動アシスト自転車であり、サドルポスト２２の前方に充電池２３を備えているが、この上方にアンテナ３３が立設されている。またこの錠２０は手動で施錠を行ない、ソレノイド３０に通電することによって開錠するタイプのものである。図３はその内部構成を表わすが、送受信部３２により通知された前記ユニークな番号は開錠部３へ伝達されて、ここでテンキー３１の組み合わせがこの番号に設定し直される。したがって登録ユーザーは、先に通知された番号をテンキー３１から打ち込むことにより、開錠部３がソレノイド３０に通電して開錠する。
【００５２】
（第２実施形態）
図５及び図６はこの発明の第２の実施形態を表わす。上述した第１の実施形態では乱数を用いたが、ここではユーザー番号表４０の中から他のユーザーとダブることがないようにして番号を選び、これをユーザーに付与している。ユーザー管理部４はこの番号をワンタイムパスワードとして、送受信部４３を介して登録ユーザーに通知する。ユーザーが錠に対して何らかのアクションを取ろうとする際には、まずセンターサーバにアクション内容、すなわち施錠要求や開錠要求を伝えるが、この時先に付与されたワンタイムパスワードを提示する。すると認証部４１はこれをユーザー番号表４０に照らし合わせて認証し、正しい入力であれば錠管理部４２から希望されているアクション内容に沿った命令を錠側へ送信することになる。このワンタイムパスワードは消尽したため、再度ユーザー番号表４０の中から他のユーザーとダブることがないようにして番号を選んで、これをユーザーに付与する。
【００５３】
錠側は送受信部３２を介して希望されているアクション内容を受信し、錠動作部３００によってソレノイド３０を操作する。
【００５４】
（第３実施形態）
この実施形態の特徴は、図７で表わされる通り、パスワードに登録ユーザーの携帯電話番号を利用している点にある。即ち電話番号取得部４５は送受信部４３を介して、ユーザーが所属する携帯電話センターから電話番号を取得し、これを認証部４１へ渡して自己の登録ユーザーであるかを確認する。これが確認されると錠管理部４２は送受信部４３を介して錠側に動作を要求する。
【００５５】
（第４実施形態）
この実施形態は図８で表わされたごとく、登録ユーザーと通信を開始し（ステップＳ１）、レンタル終了要求を受けたら（ステップＳ２）、レンタル終了処理を行ない（ステップＳ３）、通信を終了する（ステップＳ４）。この一連の処理によって、登録ユーザーは駐車場にいるかどうかを問わず任意の時点でレンタルサービスを受けることを終了することが出来る。図示しないセンターサーバー側ではこの後、錠側と通信して施錠を行なう。なお上述したフローはセンターサーバー側に於けるレンタル終了に関する手続きであるが、レンタル開始についても同様の処理フローと成る。次に図９はこの実施形態のフローチャートを表わす。前記レンタル開始後に、登録ユーザーからレンタルの一時停止要求が出されたら（ステップＳ５）、レンタルの一時停止処理を行ない（ステップＳ６）、再開要求が出されたか否かを監視し（ステップＳ７）、ＹＥＳであればレンタルの再開処理を行なう（ステップＳ８）。
【００５６】
（第５実施形態）
この実施形態は図１０にて示したように、登録ユーザーと通信を開始し（ステップＳ９）、課金終了要求を受けたら（ステップＳ１０）、課金終了処理を行なって（ステップＳ１１）、通信を終了する（ステップＳ１２）。図示しないセンターサーバー側ではこの後、錠側と通信して施錠を行なう。なお上述したフローはセンターサーバー側に於ける課金終了に関する手続きであるが、課金開始についても同様の処理フローと成る。次に図１１はこの実施形態のフローチャートを表わす。前記課金開始後に、登録ユーザーから課金の一時停止要求が出されたら（ステップＳ１３）、課金の一時停止処理を行ない（ステップＳ１４）、再開要求が出されたか否かを監視して（ステップＳ１５）、ＹＥＳであれば課金の再開処理を行なう（ステップＳ１６）。このようにして乗り継ぎや中継のためのシステムを整備することが出来る。
【００５７】
（第６実施形態）
この実施形態の特徴は、図１２で表わした通り、センターサーバが錠側と接続し合って錠側の位置情報を取得して、錠側の位置を地図上に表示する点にある。受信部５１は、アンテナ５０を介して錠側の位置情報を取得して位置探査部５へ伝達する。位置探査部５は錠側の位置を確定し、記憶部５３から該当する地域の地図情報を読み出して、錠側の位置と共に表示部５２上に表示する。なお錠側の位置情報の取得は、錠側にＰＨＳを所持させることで行なっている。地図情報は記憶部５３で所有するのではなく、専門のサービスを行なっているセンターから受信して表示することが可能である。
【００５８】
（第７実施形態）
上述した第６実施形態は、センターサーバ側で位置情報を取得するものであるが、この実施形態では錠側がそれを行なっている。すなわち図１３で表わしたように、ＧＰＳユニット６がタイマー６３を用いて位置情報を人工衛星から定期的に取得し、位置情報記憶部６２に記録し、送信部６１を介してセンターサーバへ通知する。符号６０はアンテナであるが、これとは別にＧＰＳユニット６は図示しないＧＰＳアンテナを備えている。
【００５９】
（第８実施形態）
この実施形態は、登録ユーザーの自転車の乗り換えを可能にするものである。すなわち登録ユーザーが自転車を乗り換えようとする場合には、自己が別の自転車に対応したことをセンターサーバ側に通知しなくてはならない。図１４はこの際の処理フローを示したものであるが、登録ユーザーから対応関係の変更要求が出されたら（ステップＳ１７）、乱数発生処理を行なって（ステップＳ１８）、登録ユーザーに新たな数字を割り当て通知する乱数通知処理を行なう（ステップＳ１９）。
【００６０】
（第９実施形態）
この実施形態の特徴は、電気的に動作する錠を備え、登録ユーザーに割り振られたユニークな符号を定期的に確認し、登録ユーザーと直接通信し合って認証を行いつつ登録ユーザーが希望する処理を行ない、またセンサを備えて通信装置の異常や錠の異常を感知し、無線電話機を備えてセンターサーバ側との会話を可能にしている点にある（図１５参照）。すなわち送受信部３８は携帯電話機を利用しており、まずセンターサーバ側に接続して登録ユーザー固有の符号を受信しており、次に登録ユーザーと直接接続し合い、この符号と錠の動作要求とを受けた際には、認証部３５でユーザー認証を行なって、登録されているユーザーであることが確認された場合には、錠動作部３４がソレノイド３０に所要の動作を行なわせる。またこれとは別に、確認部３６はユーザーと前記符号との関係に変化があったかどうかをセンターサーバ側に定期的に問い合わせる役目を担っている。センサ３７は２つの役目を担っており、第１に送受信部３８を監視して、異常があった場合には錠動作部３４に命令してソレノイド３０により車輪をロックし、第２に錠を監視して、異常があった場合は送受信部３８を介してセンターサーバへ報知する。なおこのような場合にユーザーは携帯電話機としての送受信部３８を利用して、前記センターサーバ側と交信することが出来る。
【００６１】
（第１０実施形態）
図１６はこの発明の第１０の実施形態を表わす。送受信部３８は携帯電話網を介してセンターサーバと接続し合うものである。施錠はユーザーが手動で行なうものであるが、開錠はユーザーがセンターサーバ経由で要求してくるため、開錠部３を用いてソレノイド３０を動作させ開錠する。センターサーバ側でユーザー認証を行なっているため、センターサーバからの開錠要求には素直に応えるように設計した。また地図表示部３９を備えており、内蔵のＣＤ−ＲＯＭから地図を読み出して表示することが出来る。また送受信部３８を介して自己の位置情報を受信し、自己のおおまかな現在位置を地図上に表示させることが出来る。
【００６２】
（第１１実施形態）
図１７および図１８はこの発明の第１１の実施形態を表わす。この実施形態で特徴的な点は、ユーザーが所持するものが、内部に通信用の誘導コイルを備えたＩＣカード８である点である（誘導コイルは図示せず）。図１７で表わしたものは、レンタル自転車の駐車場に設置したユーザー管理装置の子機である。これは送受信部１３とアンテナ１４と、送受信部１３に接続された通信部１５と、通信部１５に接続されたコイル１６とから構成されている。通信部１５はコイル１６を介してＩＣカード８にユニークな（一対一対応する）番号を送信する。なお、この番号の発生はユーザー管理装置で行なうようにし子機を介して通知するようにしても、或いは各子機でこの番号を発生するようにしてもよい。
【００６３】
次にレンタル自転車２の錠を図１８で表わす。上述したユニークな番号を記録したＩＣカード８がコイル３０２にかざされると、コイル３０２に接続した通信部３０１がＩＣカード８と通信して、前記ユニークな番号（パスワード）を読み出し、センターサーバにアクション内容すなわち施錠された状態では開錠要求を送受信部３２を介して伝えるが、この時先に読み出したパスワードを提示する。このパスワードがセンターサーバで認証された場合には、開錠命令が錠側へ送信されて来るので、これを送受信部３２で受信して、開錠部３がソレノイド３０に通電して開錠する。なお施錠は他の実施形態で説明したような手動で行なうものとしたが、開錠部３を変更することでどちらにも対応し得るように構成することができる。次の第１４実施形態の錠では錠動作部３４を説明する。
【００６４】
（第１２実施形態）
図１９はこの発明の第１２の実施形態を表わす。この実施形態の錠の特徴は、錠自体が認証部３５を備えている点にある。上述ユニークな番号を記録したＩＣカード８がコイル３０２にかざされると、コイル３０２に接続した通信部３０１がＩＣカード８と通信して前記ユニークな番号（パスワード）を読み出し、予め送受信部３８を介してセンターサーバより受信したユーザーのパスワードと通信部３０１が読み出したパスワードとの照合を認証部３５で行ない、ユーザー認証が為された場合は、認証部３５が錠動作部３４に働き掛けて、ソレノイドを動作させる。即ち、施錠要求に対しては施錠操作を、開錠要求に対しては開錠操作を行なうのものである。
【００６５】
（第１３実施形態）
図２０はこの発明の第１３の実施形態を表わす。この実施形態の錠では、上述した第１２実施形態の錠の機能以外に、この錠を通してユーザー登録を行なえる点に特徴を有する。すなわちユーザー登録モードに於いて、コイル３０２にＩＣカード８がかざされたら、このコイル３０２を接続している通信部３０１が送受信部３８を介してセンターサーバに、ユニークな（一対一対応する）番号の付与を依頼し、付与された前記ユニークな番号（パスワード）を送受信部３８で受信して、通信部３０１のコイル３０２を介してＩＣカード８に記録させる。而して錠動作モードでの動作にこのパスワードを利用してユーザー認証を行なうようにするのである。従って錠を通して必要な作業が全て行なえるのである。
【００６６】
なおこの発明は上述した実施形態に限定されないから、自転車の錠装置のみならず、例えば自動車の錠、貸し別荘のドアの錠、情報機器の錠など任意の錠装置に対応させることが可能である。
【００６７】
【発明の効果】
以上この発明は、ユーザー側装置と接続し合って錠の少なくとも開錠を可能にする錠システムおよびその錠である。必ずユーザー認証を行なうため、安心して開錠動作を行なわせることが出来、または設定によっては施錠などの動作を安心して行なわせることが出来る。
【００６８】
この結果、鍵や赤外線リモコンのような錠と一対一対応するようなものをユーザーに持たせることなく、従って貸与には実質的に係員を必要とせず、またドアのような固定物ではなく例えば自転車のような移動物のレンタルサービスに於いては駐車場を介さずにレンタルすることが出来るように成り、所期の目的を達成している。
【図面の簡単な説明】
【図１】
第１実施形態の説明図である。
【図２】
同実施形態のセンター側のブロック図である。
【図３】
同実施形態の錠側のブロック図である。
【図４】
同実施形態の電動アシスト自転車の部分側面図である。
【図５】
第２実施形態のセンター側のブロック図である。
【図６】
同実施形態の錠側のブロック図である。
【図７】
第３実施形態のセンター側のブロック図である。
【図８】
第４実施形態のセンター側のフローチャートである。
【図９】
同実施形態のセンター側のフローチャートである。
【図１０】
第５実施形態のセンター側のフローチャートである。
【図１１】
同実施形態のセンター側のフローチャートである。
【図１２】
第６実施形態のセンター側のブロック図である。
【図１３】
第７実施形態の錠側のブロック図である。
【図１４】
第８実施形態のセンター側のフローチャートである。
【図１５】
第９実施形態のセンター側のブロック図である。
【図１６】
第１０実施形態の錠側のブロック図である。
【図１７】
第１１実施形態のセンター側のブロック図である。
【図１８】
同実施形態の錠側のブロック図である。
【図１９】
第１２実施形態の錠側のブロック図である。
【図２０】
第１３実施形態の錠側のブロック図である。
【符号の説明】
１      センターサーバ
１０    乱数発生部
１１    ユーザー管理部
１２    錠管理部
１３    送受信部
１４    アンテナ
１５    通信部
１６    コイル
２      レンタル自転車
２０    錠
２１    テンキーボタン
２２    サドルポスト
２３    充電池
３      開錠部
３０    ソレノイド
３００  錠動作部
３０１  通信部
３０２  コイル
３１    テンキー
３２    送受信部
３３    アンテナ
３４    錠動作部
３５    認証部
３６    確認部
３７    センサ
３８    送受信部
３９    地図表示部
４      ユーザー管理部
４０    ユーザー番号表
４１    認証部
４２    錠管理部
４３    送受信部
４４    アンテナ
４５    電話番号取得部
５      位置探査部
５０    アンテナ
５１    受信部
５２    表示部
５３    記憶部
６      ＧＰＳユニット
６０    アンテナ
６１    送信部
６２    位置情報記憶部
６３    タイマ
７      携帯電話
８      ＩＣカード